(57)【要約】      （修正有）【課題】単一の無線ＵＥを用いたデュアルドメインキャンピングを提供する。【解決手段】方法は、単一の無線ＵＥの第１の無線アクセス技術（ＲＡＴ）モデムと第２のＲＡＴモデムとの間で第１の受信チェーンと第２の受信チェーンとを適応的に共有することを含む。ＬＴＥと１ｘとの間のページング衝突を低減するために、単一の受信チェーンＵＥは第１の受信チェーンと第２の受信チェーンとを適応的に共有する。第１の受信チェーンと第２の受信チェーンとの共有によって影響を受けるＬＴＥページの割合が低減されるようにＤＲＸサイクルを増加させるために、動的ＤＲＸサイクル変更が行われる。また、１ｘチューンアウェイ中の損失データの確率を低減する【選択図】図６
2018174538.tif 000002
【特許請求の範囲】
【請求項１】
単一の無線ユーザ機器（ＵＥ）内のワイヤレス通信の方法であって、
前記単一の無線ＵＥの第１の無線アクセス技術（ＲＡＴ）モデムと第２のＲＡＴモデムとの間で第１の受信チェーンと第２の受信チェーンとを適応的に共有すること
を備える、方法。
【請求項２】
前記第１のＲＡＴモデムが前記第１の受信チェーンと前記第２の受信チェーンとを使用する間に、第２のＲＡＴセル探索を部分的にオフラインで実行すること
をさらに備える、請求項１に記載の方法。
【請求項３】
事前に起動することなしにページングインジケータを復号すること
をさらに備える、請求項１に記載の方法。
【請求項４】
適応的に共有することは、
前記第１の受信チェーンの信号品質が前記第２の受信チェーンの信号品質よりも高いとき、前記第２のＲＡＴモデムに前記第１の受信チェーンを割り当てること
を備える、請求項１に記載の方法。
【請求項５】
適応的に共有することは、
前記第１の受信チェーンの信号品質が前記第２の受信チェーンの信号品質よりも高く、前記第１の受信チェーンの信号品質と前記第２の受信チェーンの信号品質とが所定の値よりも大きいとき、前記第１のＲＡＴモデムに前記第１の受信チェーンを割り当てること
を備える、請求項１に記載の方法。
【請求項６】
適応的に共有することが履歴無線周波数状態に基づく、請求項１に記載の方法。
【請求項７】
前記履歴無線周波数状態が所定のレベルを下回るとき、最良の利用可能な受信チェーンが前記第２のＲＡＴモデムに割り当てられる、請求項６に記載の方法。
【請求項８】
第２のＲＡＴページを監視するために第２のＲＡＴチューンアウェイを実行することより前に第１のＲＡＴ間欠受信（ＤＲＸ）サイクルを増加させること
をさらに備える、請求項１に記載の方法。
【請求項９】
適応的に共有することは、
前記単一の無線ＵＥが第１のＲＡＴネットワークのエッジにまたはその近くにあるとき、前記第１のＲＡＴモデムに前記第１の受信チェーンと前記第２の受信チェーンとを周期的に割り当てること
を備える、請求項１に記載の方法。
【請求項１０】
適応的に共有することは、
第１のＲＡＴページ受信と第２のＲＡＴページ受信とが所定のレベル以下に低下したとき、前記第１のＲＡＴから、複数のＲＡＴ上で通信する第２のＲＡＴハイブリッドモードに遷移することであって、前記第２のＲＡＴハイブリッドモードがデータおよびボイス通信を可能にする、遷移すること
を備える、請求項１に記載の方法。
【請求項１１】
第２のＲＡＴページと第１のＲＡＴページとの間の衝突を回避するために好適な起動スロットを指定すること
をさらに備える、請求項１に記載の方法。
【請求項１２】
適応的に共有することは、
前記第１のＲＡＴモデムが第１のＲＡＴ接続モードにあるときに前記第１の受信チェーンを使用する間、第２のＲＡＴページを検出するために前記第２のＲＡＴモデムに前記第２の受信チェーンを割り当てること
を備える、請求項１に記載の方法。
【請求項１３】
前記第１のＲＡＴ接続モードにある間第２のＲＡＴページを監視するために第２のＲＡＴチューンアウェイを実行することより前に不十分なチャネル品質を報告すること
をさらに備える、請求項１に記載の方法。
【請求項１４】
前記第２のＲＡＴページが前記第２のＲＡＴチューンアウェイ中に検出されないとき前記第１のＲＡＴ接続モードへの復帰をランプアップするために、報告されたチャネル品質を所定の量だけ増加させること
をさらに備える、請求項１３に記載の方法。
【請求項１５】
適応的に共有することは、
第２のＲＡＴページが第２のＲＡＴチューンアウェイ中に受信されたとき前記第１のＲＡＴを中断することと、
前記第１の受信チェーンと前記第２の受信チェーンとを使用して前記第２のＲＡＴページに応答することと
を備える、請求項１に記載の方法。
【請求項１６】
前記第１のＲＡＴを中断することが、
無線リンク障害を呼び出すために第１のＲＡＴスタックを中断すること
をさらに備える、請求項１５に記載の方法。
【請求項１７】
前記第１のＲＡＴを中断することが、
第１のＲＡＴスタックを中断することより前に要求を発行すること
をさらに備える、請求項１５に記載の方法。
【請求項１８】
第１のＲＡＴ接続モードにあるときに、第２のＲＡＴチューンアウェイ中に前記第１のＲＡＴをバッファするために、接続モード間欠受信（ＤＲＸ）サイクルを構成することをさらに備える、請求項１に記載の方法。
【請求項１９】
適応的に共有することが、第１のＲＡＴ接続モードにある間、第２のＲＡＴチューンアウェイ中に単一のランクデバイスとして動作することを備える、請求項１に記載の方法。
【請求項２０】
適応的に共有することが、
前記第１の受信チェーンを第２のＲＡＴ接続モードで使用して第２のＲＡＴボイスコール中に前記第１のＲＡＴを中断することと、
前記第１のＲＡＴモデムに前記第２の受信チェーンを割り当てることと
を備える、請求項１に記載の方法。
【請求項２１】
前記第１のＲＡＴを中断することより前に第１のＲＡＴコンテキストを中断するための要求を発行することをさらに備える、請求項２０に記載の方法。
【請求項２２】
前記第１のＲＡＴがロングタームエボリューション（ＬＴＥ）を備え、前記第２のＲＡＴがＣＤＭＡ２０００を備える、請求項１に記載の方法。
【請求項２３】
単一の無線ユーザ機器（ＵＥ）内でのワイヤレス通信のための装置であって、
前記単一の無線ＵＥを動作させるための手段と、
前記単一の無線ＵＥの第１の無線アクセス技術（ＲＡＴ）モデムと第２のＲＡＴモデムとの間で第１の受信チェーンと第２の受信チェーンとを適応的に共有するための手段と
を備える、装置。
【請求項２４】
単一の無線ユーザ機器（ＵＥ）内でのワイヤレス通信のために構成されたコンピュータプログラム製品であって、前記コンピュータプログラム製品が、
非一時的プログラムコードを記録したコンピュータ可読媒体を備え、前記プログラムコードが、
前記単一の無線ＵＥの第１の無線アクセス技術（ＲＡＴ）モデムと第２のＲＡＴモデムとの間で第１の受信チェーンと第２の受信チェーンとを適応的に共有するためのプログラムコード
を備える、コンピュータプログラム製品。
【請求項２５】
メモリと、
前記メモリに結合された少なくとも１つのプロセッサと
を備える、単一の無線ユーザ機器（ＵＥ）内でのワイヤレス通信のために構成された装置であって、前記少なくとも１つのプロセッサが、
前記単一の無線ＵＥの第１の無線アクセス技術（ＲＡＴ）モデムと第２のＲＡＴモデムとの間で第１の受信チェーンと第２の受信チェーンとを適応的に共有する
ように構成された、装置。
【請求項２６】
前記プロセッサは、
前記第１のＲＡＴモデムが前記第１の受信チェーンと前記第２の受信チェーンとを使用する間に、第２のＲＡＴセル探索を部分的にオフラインで実行する
ようにさらに構成された、請求項２５に記載の装置。
【請求項２７】
前記プロセッサが、
事前に起動することなしにページングインジケータを復号する
ようにさらに構成された、請求項２５に記載の装置。
【請求項２８】
前記プロセッサは、
前記第１の受信チェーンの信号品質が前記第２の受信チェーンの信号品質よりも高いとき、前記第２のＲＡＴモデムに前記第１の受信チェーンを割り当てること
によって適応的に共有するようにさらに構成された、請求項２５に記載の装置。
【請求項２９】
前記プロセッサは、
前記第１の受信チェーンの信号品質が前記第２の受信チェーンの信号品質よりも高く、前記第１の受信チェーンの信号品質と前記第２の受信チェーンの信号品質とが所定の値よりも大きいとき、前記第１のＲＡＴモデムに前記第１の受信チェーンを割り当てること
によって適応的に共有するようにさらに構成された、請求項２５に記載の装置。
【請求項３０】
前記プロセッサが、履歴無線周波数状態に基づいて適応的に共有するようにさらに構成された、請求項２５に記載の装置。
【請求項３１】
前記履歴無線周波数状態が所定のレベルを下回るとき、最良の利用可能な受信チェーンが前記第２のＲＡＴモデムに割り当てられる、請求項３０に記載の装置。
【請求項３２】
前記プロセッサが、
第２のＲＡＴページを監視するために第２のＲＡＴチューンアウェイを実行することより前に第１のＲＡＴ間欠受信（ＤＲＸ）サイクルを増加させる
ようにさらに構成された、請求項２５に記載の装置。
【請求項３３】
前記プロセッサは、
前記単一の無線ＵＥが第１のＲＡＴネットワークのエッジにまたはその近くにあるとき、前記第１のＲＡＴモデムに前記第１の受信チェーンと前記第２の受信チェーンとを周期的に割り当てること
によって適応的に共有するようにさらに構成された、請求項２５に記載の装置。
【請求項３４】
前記プロセッサは、
第１のＲＡＴページ受信と第２のＲＡＴページ受信とが所定のレベル以下に低下したとき、前記第１のＲＡＴから、複数のＲＡＴ上で通信する第２のＲＡＴハイブリッドモードに遷移することであって、前記第２のＲＡＴハイブリッドモードがデータおよびボイス通信を可能にする、遷移すること
によって適応的に共有するようにさらに構成された、請求項２５に記載の装置。
【請求項３５】
前記プロセッサが、
第２のＲＡＴページと第１のＲＡＴページとの間の衝突を回避するために好適な起動スロットを指定する
ようにさらに構成された、請求項２５に記載の装置。
【請求項３６】
前記プロセッサは、
前記第１のＲＡＴモデムが第１のＲＡＴ接続モードにあるときに前記第１の受信チェーンを使用する間、第２のＲＡＴページを検出するために前記第２のＲＡＴモデムに前記第２の受信チェーンを割り当てること
によって適応的に共有するようにさらに構成された、請求項２５に記載の装置。
【請求項３７】
前記プロセッサが、
前記第１のＲＡＴ接続モードにある間第２のＲＡＴページを監視するために第２のＲＡＴチューンアウェイを実行することより前に不十分なチャネル品質を報告する
ようにさらに構成された、請求項３６に記載の装置。
【請求項３８】
前記プロセッサは、
前記第２のＲＡＴページが前記第２のＲＡＴチューンアウェイ中に検出されないとき前記第１のＲＡＴ接続モードへの復帰をランプアップするために、報告されたチャネル品質を所定の量だけ増加させる
ようにさらに構成された、請求項３７に記載の装置。
【請求項３９】
前記プロセッサは、
第２のＲＡＴページが第２のＲＡＴチューンアウェイ中に受信されたとき前記第１のＲＡＴを中断することと、
前記第１の受信チェーンと前記第２の受信チェーンとを使用して前記第２のＲＡＴページに応答することと
によって適応的に共有するようにさらに構成された、請求項２５に記載の装置。
【請求項４０】
前記プロセッサが、
無線リンク障害を呼び出すために第１のＲＡＴスタックを中断すること
によって前記第１のＲＡＴをさらに中断するようにさらに構成された、請求項３９に記載の装置。
【請求項４１】
前記プロセッサが、
第１のＲＡＴスタックを中断することより前に要求を発行すること
によって前記第１のＲＡＴを中断するようにさらに構成された、請求項３９に記載の装置。
【請求項４２】
前記プロセッサが、第１のＲＡＴ接続モードにあるときに、第２のＲＡＴチューンアウェイ中に前記第１のＲＡＴをバッファするために、接続モード間欠受信（ＤＲＸ）サイクルを構成するようにさらに構成された、請求項２５に記載の装置。
【請求項４３】
前記プロセッサが、第１のＲＡＴ接続モードにある間、第２のＲＡＴチューンアウェイ中に単一のランクデバイスとして動作することによって適応的に共有するようにさらに構成された、請求項２５に記載の装置。
【請求項４４】
前記プロセッサが、
前記第１の受信チェーンを第２のＲＡＴ接続モードで使用して第２のＲＡＴボイスコール中に前記第１のＲＡＴを中断することと、
前記第１のＲＡＴモデムに前記第２の受信チェーンを割り当てることと
によって適応的に共有するようにさらに構成された、請求項２５に記載の装置。
【請求項４５】
前記プロセッサが、前記第１のＲＡＴを中断することより前に第１のＲＡＴコンテキストを中断するための要求を発行するようにさらに構成された、請求項４４に記載の装置。
【請求項４６】
前記第１のＲＡＴがロングタームエボリューション（ＬＴＥ）を備え、前記第２のＲＡＴがＣＤＭＡ２０００を備える、請求項２５に記載の装置。
【発明の詳細な説明】
【技術分野】
【０００１】
関連出願の相互参照
[0001]本出願は、開示の全体が参照により明確に本明細書に組み込まれる、Ａ．Ｓｗａｍｉｎａｔｈａｎらの名義で２０１２年２月８日に出願された米国仮特許出願第６１／５９６，７１３号と、Ａ．Ｓｗａｍｉｎａｔｈａｎらの名義で２０１２年５月１日に出願された米国仮特許出願第６１／６４１，１７６号の利益を主張する。
【０００２】
[0002]本開示の態様は、一般にワイヤレス通信システムに関し、より詳細には、単一の受信機／送信機ユーザ機器（ＵＥ）を用いたデュアルドメインキャンピング（dual domain camping）に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイル電気通信システム（ＵＭＴＳ：Universal Mobile Telecommunications System）モバイル規格の拡張のセットである。
【０００５】
[0005]ＬＴＥ技術は、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。モバイルブロードバンドアクセスに対する増大する需要を満たすためだけでなく、モバイル通信のユーザエクスペリエンスを進化および向上させるためにもＬＴＥ技術を進化させる研究および開発が続けられている。
【発明の概要】
【０００６】
[0006]本開示の一態様に従って、単一の無線ＵＥを用いた１ｘ／ＬＴＥデュアルドメインキャンピングのための方法について説明する。本方法は、単一の無線ＵＥの第１の無線アクセス技術（ＲＡＴ：radio access technology）モデムと第２のＲＡＴモデムとの間で第１の受信チェーン（receive chain）と第２の受信チェーンとを適応的に共有することを含む。
【０００７】
[0007]別の態様では、単一の無線ＵＥを用いた１ｘ／ＬＴＥデュアルドメインキャンピングのための装置について説明する。本装置は、少なくとも１つのプロセッサと、少なくとも１つのプロセッサに結合されたメモリとを含む。（１つまたは複数の）プロセッサは、単一の無線ＵＥの第１の無線アクセス技術（ＲＡＴ）モデムと第２のＲＡＴモデムとの間で第１の受信チェーンと第２の受信チェーンとを適応的に共有するように構成される。
【０００８】
[0008]さらなる態様では、単一の無線ＵＥを用いた１ｘ／ＬＴＥデュアルドメインキャンピングのためのコンピュータプログラム製品について説明する。本コンピュータプログラム製品は、プログラムコードを記録した非一時的コンピュータ可読媒体を含む。本コンピュータプログラム製品は、単一の無線ＵＥの第１の無線アクセス技術（ＲＡＴ）モデムと第２のＲＡＴモデムとの間で第１の受信チェーンと第２の受信チェーンとを適応的に共有するためのプログラムコードを有する。
【０００９】
[0009]別の態様では、単一の無線ＵＥを用いた１ｘ／ＬＴＥデュアルドメインキャンピングのための装置について説明する。本装置は、単一の無線ＵＥを動作させるための手段を含む。本装置は、単一の無線ＵＥの第１の無線アクセス技術（ＲＡＴ）モデムと第２のＲＡＴモデムとの間で第１の受信チェーンと第２の受信チェーンとを適応的に共有するための手段をさらに含む。
【００１０】
[0010]ここでは、以下の発明を実施するための形態がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１１】
[0007]本開示の特徴、特性、および利点は、全体を通じて同様の参照符号が同様のものを指す図面とともに、以下に記載する発明を実施するための形態を読めばより明らかになろう。
【図面の簡単な説明】
【００１２】
【図１】[0008]ネットワークアーキテクチャの一例を示す図。
【図２】[0009]アクセスネットワークの一例を示す図。
【図３】[0010]ＬＴＥにおけるダウンリンクフレーム構造の一例を示す図。
【図４】[0011]ＬＴＥにおけるアップリンクフレーム構造の一例を示す図。
【図５】[0012]ユーザプレーンおよび制御プレーンのための無線プロトコルアーキテクチャの一例を示す図。
【図６】[0013]アクセスネットワーク中の発展型ノードＢおよびユーザ機器の一例を示す図。
【図７】[0014]本開示の一態様による、単一の無線ＵＥを用いた１ｘ／ＬＴＥデュアルドメインキャンピングのための方法を示すブロック図。
【図８】[0015]本開示の一態様による、動的受信チェーン割当てを使用した単一の無線ＵＥを用いた１ｘ／ＬＴＥデュアルドメインキャンピングのための方法を示すブロック図。
【図９】[0016]本開示の一態様による、１ｘとＬＴＥとのページング衝突を回避するための、単一の無線ＵＥを用いた１ｘ／ＬＴＥデュアルドメインキャンピングのための方法を示すブロック図。
【図１０】[0017]本開示の一態様による、ＬＴＥ接続モードおよび１ｘアイドルモード中の、単一の無線ＵＥを用いた１ｘ／ＬＴＥデュアルドメインキャンピングのための方法を示すブロック図。
【図１１】[0018]本開示の一態様による、１ｘ接続モードおよびＬＴＥアイドルモード中の、単一の無線ＵＥを用いた１ｘ／ＬＴＥデュアルドメインキャンピングのための方法を示すブロック図。
【図１２】[0019]本開示の一態様による、１ｘ／ＬＴＥデュアルドメインキャンピングシステム内の単一の無線ＵＥを採用する装置のためのハードウェア実装形態の一例を示す図。
【発明を実施するための形態】
【００１３】
[0016]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１４】
[0017]様々な装置および方法に関して電気通信システムの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１５】
[0018]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１６】
[0019]したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１７】
[0020]図１は、本開示の一態様による、単一の無線ＵＥを用いた１ｘ／ＬＴＥデュアルドメインキャンピングが実行され得る、ＬＴＥ／−Ａネットワークであり得る、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１８】
[0021]Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端（termination）と制御プレーンプロトコル終端とを与える。ｅノードＢ１０６は、バックホール（backhaul）（たとえば、Ｘ２インターフェース）を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１９】
[0022]ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２はベアラ（bearer）および接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２０】
[0023]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮｏｄｅＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００２１】
[0024]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２２】
[0025]ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００２３】
[0026]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２４】
[0027]以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間（spacing）は、受信機がサブキャリアからデータを復元することを可能にする「直交性（orthogonality）」を与える。時間領域では、ＯＦＤＭシンボル間干渉をなくすために、ガードインターバル（guard interval）（たとえば、サイクリックプレフィックス（cyclic prefix））が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２５】
[0028]図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロット（time slot）を含み得る。２つのタイムスロットを表すためにリソースグリッド（resource grid）が使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２６】
[0029]図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る連続サブキャリアを含むデータセクションを生じる。
【００２７】
[0030]ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり（span）得、周波数上でホッピングし（hop）得る。
【００２８】
[0031]初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２９】
[0032]図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００３０】
[0033]ユーザプレーンでは、Ｌ２レイヤ５０８は、ネットワーク側のｅノードＢにおいて終端される（terminated）、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ（far end UE）、サーバなど）において終端されるアプリケーションレイヤとを含めてＬ２レイヤ５０８の上にいくつかの上位レイヤを有し得る。
【００３１】
[0034]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替え（reordering）とを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３２】
[0035]制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００３３】
[0036]図６は、アクセスネットワーク中でＵＥ６５０と通信しているｅノードＢ６１０のブロック図である。ダウンリンクでは、コアネットワークからの上位レイヤパケットが、コントローラ／プロセッサ６７５に与えられる。コントローラ／プロセッサ６７５は、Ｌ２レイヤの機能を実装する。ダウンリンクでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３４】
[0037]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーション（constellations）へのマッピングとを可能にするために、コーディングとインターリービング（interleaving）とを含む。次いで、コード化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる（precoded）。チャネル推定器６７４からのチャネル推定値は、コード化および変調方式を判断するために、ならびに空間処理のために使用され得る。チャネル推定値は、ＵＥ６５０によって送信される基準信号および／またはチャネル状態フィードバックから導出され得る。次いで、各空間ストリームが別個の送信機６１４ＴＸ（６１４−１、．．．、６１４−Ｎ）を介して異なるアンテナ６１２（６１２−１、６１２−Ｎ）に与えられる。送信機６１４ＴＸの各々は、送信のためにそれぞれの空間ストリームでＲＦキャリアを変調する。
【００３５】
[0038]ＵＥ６５０において、第１の受信機６５４−１  ＲＸ−１は、第１のアンテナ６５２−１を通して信号を受信し、第２の受信機６５４−２  ＲＸ−２は、第２のアンテナ６５２−２を通して信号を受信する。第１の受信機６５４−１  ＲＸ−１は、ＲＦキャリア上に変調された情報を復元し、第１の受信機（ＲＸ−１）プロセッサ６６０−１に情報を与える。第２の受信機６５４−２  ＲＸ−２も、ＲＦキャリア上に変調された情報を復元し、第２の受信機（ＲＸ−２）プロセッサ６６０−２に情報を与える。ＲＸプロセッサ６６０は、Ｌ１レイヤの様々な信号処理機能を実装する。第１のＲＸ−１プロセッサ６６０−１および第２のＲＸ−２プロセッサは、ＵＥ６５０に宛てられた任意の空間ストリームを復元するために、情報に対して空間処理を実行する。複数の空間ストリームがＵＥ６５０に宛てられた場合、それらは、ＲＸ−１プロセッサ６６０−１と第２のＲＸ−２プロセッサとによって単一のＯＦＤＭシンボルストリームに合成され得る。ＲＸ−１プロセッサ６６０−１および第２のＲＸ−２プロセッサは、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号のコンスタレーションポイントを判断することによって復元され、復調される。これらの軟判定は、チャネル推定器６６４によって計算されるチャネル推定値に基づき得る。軟判定は、次いで、物理チャネル上でｅノードＢ６１０によって最初に送信されたデータおよび制御信号を復元するために復号され、デインターリーブされる。データおよび制御信号は、次いで、コントローラ／プロセッサ６８０に与えられる。
【００３６】
[0039]コントローラ／プロセッサ６８０はＬ２レイヤを実装する。コントローラ／プロセッサは、プログラムコードとデータとを記憶するメモリ６８２に関連し得る。メモリ６８２はコンピュータ可読媒体と呼ばれることがある。アップリンクでは、コントローラ／プロセッサ６８０は、コアネットワークからの上位レイヤパケットを復元するために、トランスポートチャネルと論理チャネルとの間の多重分離と、パケットリアセンブリ（packet reassembly）と、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６８０はまた、ＨＡＲＱ動作をサポートするために肯定応答（ＡＣＫ）および／または否定応答（ＮＡＣＫ）プロトコルを使用した誤り検出を担当する。
【００３７】
[0040]アップリンクでは、データソース６７２は、コントローラ／プロセッサ６８０に上位レイヤパケットを与えるために使用される。データソース６７２は、Ｌ２レイヤの上のすべてのプロトコルレイヤを表す。ｅノードＢ６１０によるダウンリンク送信に関して説明した機能と同様に、コントローラ／プロセッサ６８０は、ヘッダ圧縮と、暗号化と、パケットのセグメント化および並べ替えと、ｅノードＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６８０はまた、ＨＡＲＱ動作と、紛失パケットの再送信と、ｅノードＢ６１０へのシグナリングとを担当する。
【００３８】
[0041]ｅノードＢ６１０によって送信される基準信号またはフィードバックからの、チャネル推定器６６４によって導出されるチャネル推定値は、適切なコード化および変調方式を選択することと、空間処理を可能にすることとを行うために、ＴＸプロセッサ６７０によって使用され得る。ＴＸプロセッサ６７０によって生成される空間ストリームは、送信機６５８ＴＸを介してアンテナ６５６に与えられる。送信機６５８ＴＸは、送信のためにそれぞれの空間ストリームでＲＦキャリアを変調する。
【００３９】
[0042]アップリンク送信は、ＵＥ６５０における受信機機能に関して説明した方法と同様の方法でｅノードＢ６１０において処理される。受信機６１４ＲＸ（６１４−１、．．．、６１４−Ｎ）の各々は、それのそれぞれのアンテナ６１２（６１２−１、．．．、６１２−Ｎ）を通して信号を受信する。受信機６１４ＲＸの各々は、ＲＦキャリア上に変調された情報を復元し、ＲＸプロセッサ６３０（６３０−１、．．．、６３０−Ｎ）のうちの１つに情報を与える。ＲＸプロセッサ６３０はＬ１レイヤを実装し得る。
【００４０】
[0043]コントローラ／プロセッサ６２０はＬ２レイヤを実装する。コントローラ／プロセッサ６２０は、プログラムコードとデータとを記憶するメモリ６２２に関連し得る。メモリ６２２はコンピュータ可読媒体と呼ばれることがある。アップリンクでは、コントローラ／プロセッサ６２０は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６２０からの上位レイヤパケットはコアネットワークに与えられ得る。コントローラ／プロセッサ６２０はまた、ＨＡＲＱ動作をサポートするためにＡＣＫおよび／またはＮＡＣＫプロトコルを使用した誤り検出を担当する。
【００４１】
[0044]コントローラ／プロセッサ６２０およびコントローラ／プロセッサ６８０は、それぞれｅノードＢ６１０における動作およびＵＥ６５０における動作を指示し得る。ｅノードＢ６１０におけるコントローラ／プロセッサ６２０および／または他のプロセッサおよびモジュールは、本明細書で説明する技法のための様々なプロセスを実行するか、またはその実行を指示し得る。ＵＥ６５０におけるコントローラ／プロセッサ６８０および／または他のプロセッサならびにモジュールはまた、図７〜図１１の使用方法フローチャートに示す機能ブロック、および／または単一の無線ＵＥ内のデュアルＲＡＴキャンピングを伴う説明する技法のための他のプロセスを実行するか、またはその実行を指示し得る。メモリ６３２およびメモリ６８２は、それぞれｅノードＢ６１０およびＵＥ６５０のためのデータおよびプログラムコードを記憶し得る。
【００４２】
単一の無線ＵＥを用いた１ｘ／ＬＴＥデュアルドメインキャンピング
[0045]本開示の一態様は、単一の受信経路をサポートしながら第１の無線アクセス技術（ＲＡＴ）上でデータを受信し、第２の無線アクセス技術（ＲＡＴ）上でボイスを受信するＵＥを与える。本開示のこの態様では、単一の無線ＵＥが、単一の受信経路の第１の受信チェーンと第２の受信チェーンとを第１の無線アクセス技術（ＲＡＴ）モデムと第２のＲＡＴモデムとの間で適応的に共有する。一構成では、第１のＲＡＴモデムはＬＴＥモデムであり、第２のＲＡＴは１ｘ（ＣＤＭＡ２０００）モデムである。ＣＤＭＡ２０００は、限定はしないが、シングルキャリア無線伝送技術（１ｘＲＴＴ）、１ｘエボリューションデータオプティマイズド（１ｘＥＶ−ＤＯ）、およびボイス、データを送り、モバイルフォンとセルサイトとの間でデータをシグナリングするためのＣＤＭＡチャネルアクセスを使用する他の同様のモバイル技術規格を含む。本明細書で説明するように、ＣＤＭＡ２０００は１ｘと呼ばれることがある。本開示の添付の特許請求の範囲および本発明の態様の範囲内のまま、第１および第２のＲＡＴモデムの他の構成が可能である。たとえば、第１および第２のＲＡＴモデムは、ＨＳＰＡおよびＧＳＭまたは他のネットワークであり得る。以下の説明は、説明しやすいように１ｘおよびＬＴＥに関して与えられる。
【００４３】
[0046]同時ボイスアンドＬＴＥ（ＳＶＬＴＥ：simultaneous voice and LTE）は、ＬＴＥがＣＤＭＡ２０００（１ｘ）ネットワークに対するオーバーレイで（overlay）あるときのボイス配信のための現在のデファクトスタンダード（de facto standard）である。ＳＶＬＴＥ通信では、ボイスサービスは、ＬＴＥデータサービスと並行して動作する１ｘサービスとして展開される。その結果、ＳＶＬＴＥ通信を実装するために、ハンドセット（handset）が２つの無線を同時に実行する。マルチモードＬＴＥ／Ｃ２Ｋハンドセットをリリースすることを計画しているＣ２Ｋ（ＣＤＭＡ２０００）事業者にとっていくつかのボイスソリューションが利用可能である。これらは、（１）ボイスオーバーＩＰオーバーＬＴＥ（ＶｏＬＴＥ：voice over IP over LTE）と、（２）１ｘ回線交換フォールバック（１ｘＣＳＦＢ：1x Circuit Switched Fallback）とを含むネットワークサポートおよび／またはアップグレードを伴うオプション、ならびに（１）二重（dual）受信機１ｘＣＳＦＢと（２）ＳＶＬＴＥとを含む、簡約ネットワークサポートまたはネットワークサポートなしを指定するオプションを含む。
【００４４】
[0047]ネットワークサポートを伴わないオプションの背後の仮定は、デバイスが、二重（dual）受信経路または二重受信／二重送信経路のいずれかをサポートするということである。ＬＴＥ  ＵＥ中の二重受信経路は、ＬＴＥにおけるＭＩＭＯ（多入力多出力）動作をサポートするための３つの受信チェーンを暗に意味することに留意されたい。二重受信経路は、ＵＥが、二重受信機ＣＳＦＢ通信をサポートするために指定されたように、ＬＴＥページングと１ｘページングとを独立して監視することを可能にする。二重受信／二重送信経路は、ＵＥが、ＳＶＬＴＥ通信をサポートするために指定されたように、独立した１ｘおよびＬＴＥ動作をサポートすることを可能にする。
【００４５】
[0048]本開示の一態様は、単一の受信経路をサポートしながら、ＬＴＥ上でデータを受信し、１ｘ上でボイスを受信するＵＥを与える。本開示のこの態様では、単一の無線ＵＥが、第１の受信チェーンと第２の受信チェーンとを含む単一の受信経路を、第１の無線アクセス技術（ＲＡＴ）モデムと第２のＲＡＴモデムとの間で適応的に共有する。一構成では、単一の受信経路は、ＬＴＥにおけるＭＩＭＯ動作をサポートするための２つの受信チェーンを暗に意味する。
【００４６】
[0049]図７に、本開示の一態様による、単一の無線ユーザ機器（ＵＥ）を用いたデュアルＲＡＴキャンピングのための方法７００を示す。本明細書で説明するように、単一の無線ＵＥは、単一の受信経路を共有する第１のＲＡＴ（たとえば、ＬＴＥモデム）と第２のＲＡＴ（たとえば、１ｘモデム）とを含むＵＥを指すことがある。本開示の一態様では、１次（第１の）受信チェーンとダイバーシティ（第２の）受信チェーンとは、単一の無線ＵＥのＬＴＥモデムと１ｘモデムとの間で共有される。たとえば、図６に示すように、第１の受信機６５４−１  ＲＸ−１は第１のアンテナ６５２−１を有し、第２の受信機６５４−２  ＲＸ−２は第２のアンテナ６５２−２を有し、それらは、ＵＥ６５０の第１のＲＡＴと第２のＲＡＴとの間でＵＥ６５０によって共有される。
【００４７】
[0050]一構成では、単一の無線ＵＥ６５０の１次（第１の受信機６５４−１  ＲＸ−１）受信チェーンとダイバーシティ（第２の受信機６５４−２  ＲＸ−２）受信チェーンとを共有することは、ＬＴＥネットワークと１ｘネットワークの両方にキャンプオンすること（camping on）を禁止する。その結果、１ｘページとＬＴＥページとは、単一の無線ＵＥ６５０の動作中に衝突し得る。さらに説明するように、１ｘページまたは他の同様の１ｘアクティビティをリッスンするためのＬＴＥからのチューンアウェイ（tune-away）は、「１ｘチューンアウェイ」と呼ばれる。１ｘチューンアウェイは、ＬＴＥデータコールと１ｘボイスコールとの受信を可能にするために１次受信チェーンとダイバーシティ受信チェーンとを適応的に共有するデュアル無線デバイスをシミュレートするための１次受信チェーンとダイバーシティ受信チェーンとの共有から生じる。
【００４８】
[0051]図７を参照すると、ブロック７１０において、単一の無線ＵＥ６５０を動作させる。ブロック７１２において、ＵＥ６５０は、単一の無線ＵＥ６５０の第１のＲＡＴ（たとえば、ＬＴＥモデム）と第２のＲＡＴ（たとえば、１ｘモデム）との間で第１の（１次）受信チェーンと第２の（ダイバーシティ）受信チェーンとを適応的に共有する。この構成では、ＬＴＥ中断要求なしに、１ｘチューンアウェイが実行され得る。この構成では、第２の受信チェーンは、ＬＴＥモデムが第１の受信チェーンをＬＴＥ接続モードで使用する間、１ｘページを検出するために１ｘモデムに割り当てられる。さらなる構成では、ＬＴＥは、１ｘ接続モードにある間第１の受信チェーンを使用して１ｘボイスコール中に中断される。この構成では、第２の受信チェーンは、１ｘモバイルダイバーシティ受信機が無効にされたときにＬＴＥモデムに割り当てられる。
【００４９】
[0052]一構成によれば、単一の無線ＵＥ６５０が、ＬＴＥと１ｘとの間のページング衝突を低減するために、１次（第１の）受信チェーンとダイバーシティ（第２の）受信チェーンとを適応的に共有する。単一の無線ＵＥの受信経路制限により起こる問題は、１ｘページ起動とＬＴＥページ起動（wakeup）とが衝突する場合に対処する際の複雑さである。これは、２つのネットワークが互いから独立して動作するために起こることがある。その結果、割り当てられた１ｘ起動スロット（wakeup slot）とＬＴＥ  ＤＲＸ（discontinuous reception）（間欠受信）スロットとは衝突することがある。
【００５０】
[0053]この問題に対処する１つの方法は、重複する１ｘページ起動がある場合、ＬＴＥ上の第１の受信チェーンまたは第２の受信チェーンを犠牲にすることである。このシナリオでは、ＬＴＥ上の第２の受信チェーンは、１ｘのために使用される。１ｘのためにＬＴＥ上の第２の受信チェーンを犠牲にすることの欠点は、第１の受信チェーンと第２の受信チェーンの両方を使用するＬＴＥのみの動作と比較してＬＴＥページング性能が低下することである。割り当てられた１ｘ起動スロットとＬＴＥ  ＤＲＸスロットとは衝突することがあるが、ＬＴＥ  ＤＲＸサイクルは最大値２．５６秒を有する。たいていの１ｘ動作は、対照的に、５．１２秒ページ起動サイクルを指定する。その結果、ワーストケースシナリオ下でも、１ｘページング起動とＬＴＥページング起動との間の衝突は、２つのＬＴＥ起動のうちの１つに影響を及ぼす。１ｘページング起動とＬＴＥページング起動との衝突の影響を低減するための潜在的ソリューションについて以下で説明する。
【００５１】
[0054]ＬＴＥと１ｘの両方がアイドルであるときの受信経路共有の影響を減少させるための１つの次善策が、以下のように実行され得る。本開示の一態様では、単一の無線ＵＥ内の受信経路を共有することの影響は、第２の受信チェーン（たとえば、ＬＴＥダイバーシティ受信チェーン）が１ｘモデムによって使用される時間を減少させることによって低減される。１つのＵＥ構成では、１ｘモデム動作（「１ｘ接続モード」）のための第２の受信チェーンの使用中に収集されるＵＥサンプルに基づいて、オフラインセル探索が実行される。この構成では、ＵＥ収集されたサンプルは、１ｘモデムがアイドルであるか、あるいは場合によっては第１の受信チェーンまたは第２の受信チェーンを使用しない間に復号される。そのようなセル探索は、部分的オフラインセル探索と呼ばれる。
【００５２】
[0055]たとえば、図６に示すように、観測されたサンプルは、たとえば、逆方向チャネルを識別するために複数のサンプリングされた擬似雑音（ＰＮ）シーケンスに対して１ｘ復号を試みることによって、ＲＸプロセッサ６６０および／またはチャネル推定器６６４のうちの１つによってオフラインで処理される。オフライン処理は、ＬＴＥからのチューンアウェイ時間を増加させることなしに複数のＰＮシーケンス復号を可能にする。オフライン処理は、限定はしないが、１ｘアイドルモード、ＬＴＥアイドルモード、あるいは１ｘモデムが第１の受信チェーンまたは第２の受信チェーンを使用しない他の同様のモードを含み得る。
【００５３】
[0056]別のＵＥ構成では、ＱＰＣＨ（クイックページングチャネル）を監視することなしに、オンライン１ｘ復号が実行される。通常、ＱＰＣＨを監視するために、初期起動が１ｘモデムによって実行される。このＵＥ構成では、１ｘモデムは、ＱＰＣＨを監視するために事前に起動（wake）しない。そうではなく、１ｘモデムは、拡張された起動を回避するために、ページングスロットを監視し、クイックページングインジケータを監視しないことがある。拡張された起動を回避することにより、１ｘモデムがオンラインであり第１および／または第２の受信チェーンを使用している時間の量が減少する。別のＵＥ構成では、ＱＰＣＨは、ＬＴＥページングと１ｘページングとの衝突を低減するために回避される。代わりに、１ｘモデムは、ＱＰＣＨを監視すべきかどうかを適応的に決定し得る。たとえば、１ｘモデムは、それがＬＴＥ  ＤＲＸ起動サイクル（wake up cycle）と衝突する場合、ＱＰＣＨを監視することを回避する。
【００５４】
[0057]図８に、本開示の一態様による、単一の無線ＵＥ６５０を用いたデュアルＲＡＴキャンピングのための方法８００を示す。本開示のこの態様では、ＬＴＥモデムと１ｘモデムとの間での受信経路共有の影響は、１ｘとＬＴＥとの間で単一の受信経路の第１の受信チェーンと第２の受信チェーンとを動的に割り当てることによって減少させられる。この構成では、第１の受信チェーンと第２の受信チェーンとは、ＬＴＥページ受信と１ｘページ受信の両方が成功する確率を増加させるか、および／または最大にするために１ｘとＬＴＥとの間で動的に割り当てられる。ＵＥは、ＬＴＥと１ｘとの間で第１の受信チェーンと第２の受信チェーンとを動的に割り当てるための方法８００を実行するために、実際のページ到着時間より先に起動し得る。最高受信自動利得制御（ＡＧＣ：automatic gain control）をもつ受信チェーンは、１ｘに割り当てられる。両方の受信ＡＧＣが強い場合、より良い受信ＡＧＣがＬＴＥに割り当てられる。
【００５５】
[0058]図８を参照しながら、次に、例示的なプロセスについてより詳細に説明する。ブロック８１０において、第１の受信チェーンと第２の受信チェーンとがＬＴＥ接続モードでデータを受信するとき、信号品質を計算する。この構成では、受信機自動利得制御（ＲｘＡＧＣ：receiver automatic gain control）が、第１の受信チェーンを使用してＬＴＥ接続モードで信号品質（ＲｘＡＧＣ（１、ＬＴＥ））を測定し、第２の受信チェーンを使用してＬＴＥ接続モードで信号品質（ＲｘＡＧＣ（２、ＬＴＥ））を測定する。しかしながら、他の信号品質測定値が、説明する発明態様の範囲内のまま可能であることを認識されたい。ブロック８１２において、第１の受信チェーンと第２の受信チェーンとが１ｘ接続モードでデータを受信するとき、信号品質を計算する。この構成では、受信機自動利得制御（ＲｘＡＧＣ）はまた、第１の受信チェーンを使用して１ｘ接続モードで信号品質（ＲｘＡＧＣ（１、１ｘ））を測定し、第２の受信チェーンを使用して１ｘ接続モードで信号品質（ＲｘＡＧＣ（２、１ｘ））を測定する。
【００５６】
[0059]ブロック８１４において、第１の受信チェーンを使用したＬＴＥ接続モードでの測定された信号品質（ＲｘＡＧＣ（１、ＬＴＥ））と、第２の受信チェーンを使用したＬＴＥ接続モードでの測定された信号品質（ＲｘＡＧＣ（２、ＬＴＥ））との間の最小値を、所定のＬＴＥしきい値（ＬＴＥ＿Ｔｈｒｅｓｈ）と比較する。
【００５７】
[0060]最小値がしきい値よりも高いとき、ブロック８１６を実行する。ブロック８１６において、第１の受信チェーンを使用した１ｘ接続モードの場合の測定された信号品質（ＲｘＡＧＣ（１、１ｘ））と、第２の受信チェーンを使用した１ｘ接続モードの場合の測定された信号品質（ＲｘＡＧＣ（２、ｌｘ））とを比較する。
【００５８】
[0061]第１の受信チェーンを使用した１ｘ接続モードの場合の測定された信号品質（ＲｘＡＧＣ（１、１ｘ））が、第２の受信チェーンを使用した１ｘ接続モードの場合の測定された信号品質（ＲｘＡＧＣ（２、ｌｘ））よりも高いとき、ブロック８１８を実行する。ブロック８１８において、１ｘの場合に第１の受信チェーンを使用し、ブロック８２２において、ＬＴＥの場合に第２の受信チェーンを使用する。場合によっては、ブロック８２０において、１ｘの場合に第２の受信チェーンを使用し、ブロック８２２において、ＬＴＥの場合に第１の受信チェーンを使用する。この構成では、最高受信機自動利得制御をもつ受信チェーンは１ｘに割り当てられ、他方の受信チェーンはＬＴＥに割り当てられる。
【００５９】
[0062]ブロック８１４において、最小値がしきい値よりも低いとき、ブロック８３０を実行する。ブロック８３０において、第１の受信チェーンを使用した１ｘ接続モードの場合の測定された信号品質（ＲｘＡＧＣ（１、１ｘ））と、第２の受信チェーンを使用した１ｘ接続モードの場合の測定された信号品質（ＲｘＡＧＣ（２、１ｘ））との間の最小値を、所定の１ｘしきい値（１ｘ＿Ｔｈｒｅｓｈ）と比較する。
【００６０】
[0063]第１の受信チェーンを使用した１ｘ接続モードの場合の測定された信号品質（ＲｘＡＧＣ（１、１ｘ））と第２の受信チェーンを使用した１ｘ接続モードの場合の測定された信号品質（ＲｘＡＧＣ（２、１ｘ））との間の最小値が、所定の１ｘしきい値（１ｘ＿Ｔｈｒｅｓｈ）よりも高いとき、ブロック８３２を実行する。ブロック８３２において、第１の受信チェーンを使用したＬＴＥ接続モードの場合の測定された信号品質（ＲｘＡＧＣ（１、ＬＴＥ））と、第２の受信チェーンを使用したＬＴＥ接続モードの場合の測定された信号品質（ＲｘＡＧＣ（２、ＬＴＥ））とを比較する。
【００６１】
[0064]第１の値が第２の値を超えたとき、ブロック８３４を実行する。ブロック８３４において、ＬＴＥの場合に第１の受信チェーンを使用し、ブロック８３８において、１ｘの場合に第２の受信チェーンを使用する。場合によっては、ブロック８３６において、ＬＴＥの場合に第２の受信チェーンを使用し、ブロック８３８において、１ｘの場合に第１の受信チェーンを使用する。この構成では、１ｘ接続モードでの両方の受信チェーンについての信号品質が所定の１ｘしきい値よりも高いので、最高信号品質をもつ受信チェーンがＬＴＥに割り当てられる。すなわち、最高受信機自動利得制御をもつ受信チェーンはＬＴＥに割り当てられ、他方の受信チェーンは１ｘに割り当てられる。
【００６２】
[0065]第１の受信チェーンを使用した１ｘ接続モードの場合の測定された信号品質（ＲｘＡＧＣ（１、１ｘ））と第２の受信チェーンを使用した１ｘ接続モードの場合の測定された信号品質（ＲｘＡＧＣ（２、１ｘ））との間の最小値が、所定の１ｘしきい値（１ｘ＿Ｔｈｒｅｓｈ）よりも低いとき、ブロック８４０を実行する。ブロック８４０において、第１の受信チェーンを使用した１ｘ接続モードの場合の測定された信号品質（ＲｘＡＧＣ（１、１ｘ））と、第２の受信チェーンを使用した１ｘ接続モードの場合の測定された信号品質（ＲｘＡＧＣ（２、ｌｘ））とを比較する。
【００６３】
[0066]第１の受信チェーンを使用した１ｘ接続モードの場合の測定された信号品質（ＲｘＡＧＣ（１、１ｘ））が、第２の受信チェーンを使用した１ｘ接続モードの場合の測定された信号品質（ＲｘＡＧＣ（２、ｌｘ））よりも高いとき、ブロック８４２を実行する。ブロック８４２において、１ｘの場合に第１の受信チェーンを使用し、ブロック８４６において、ＬＴＥの場合に第２の受信チェーンを使用する。場合によっては、ブロック８４４において、１ｘの場合に第２の受信チェーンを使用し、ブロック８４６において、ＬＴＥの場合に第１の受信チェーンを使用する。この構成では、第１の受信チェーンを使用した１ｘ接続モードの場合の測定された信号品質（ＲｘＡＧＣ（１、１ｘ））と、第２の受信チェーンを使用した１ｘ接続モードの場合の測定された信号品質（ＲｘＡＧＣ（２、１ｘ））との間の最大値を、所定の１ｘしきい値（１ｘ＿Ｔｈｒｅｓｈ）と比較する。
【００６４】
[0067]第１の受信チェーンを使用した１ｘ接続モードの場合の測定された信号品質（ＲｘＡＧＣ（１、１ｘ））と第２の受信チェーンを使用した１ｘ接続モードの場合の測定された信号品質（ＲｘＡＧＣ（２、１ｘ））との間の最大値が、所定の１ｘしきい値（１ｘ＿Ｔｈｒｅｓｈ）よりも高いとき、１ｘ接続モード信号品質が所定の１ｘしきい値を下回るので、１ｘクイックページングは無効にされる。たとえば、図６に示したように、ＲＸプロセッサ６６０のうちの１つは、第１の受信チェーンと第２の受信チェーンとを使用した１ｘ接続モードとＬＴＥ接続モデムとの場合の信号品質を計算し得る。図６にさらに示したように、コントローラ／プロセッサ６８０は図８の受信チェーン割当てプロセスを実行し得る。
【００６５】
[0068]さらなる構成では、ＬＴＥと１ｘとの間のアンテナ選択が、履歴無線周波数（ＲＦ）状態に基づく。たとえば、履歴ＲＦ状態（たとえば、最新の３回の起動）が十分に良好である場合、アンテナ選択プロセスは、過去の性能に基づいて第１の受信チェーンと第２の受信チェーンとを割り当て、それにより、難しいＲＦ状態で図８のアンテナ選択を実行するための起動を低減する。履歴ＲＦ状態が不十分な場合、最良の利用可能な受信チェーンは１ｘに割り当てられ得る。
【００６６】
[0069]述べたように、一構成によれば、ＬＴＥと１ｘとの間のページング衝突を低減するために、単一の受信チェーンＵＥは第１の受信チェーンと第２の受信チェーンとを適応的に共有する。２つのネットワークが独立して動作するので、割り当てられた１ｘ起動スロットとＬＴＥ  ＤＲＸ（間欠受信）スロットとは衝突することがある。一構成では、たとえば、第１の受信チェーンと第２の受信チェーンとの共有によって影響を受けるＬＴＥページの割合が低減されるようにＤＲＸサイクルを増加させるために、動的ＤＲＸサイクル変更が行われる。たとえば、ＤＲＸサイクルが２．５６秒であり、１ｘページングサイクルが５．１２秒である場合、１ｘページング起動によって２つのＬＴＥ起動のうちの１つが影響を受ける。しかしながら、ＤＲＸサイクルが１．２８秒に増加した場合、１ｘページング起動によって４つのＬＴＥ起動のうちの１つが影響を受ける。
【００６７】
[0070]図９に、本開示の別の態様による、単一の無線ＵＥを用いたデュアルＲＡＴキャンピングのための方法９００を示す。ブロック９１０において、ＬＴＥモデムがカバレージエリアのエッジにあるかどうかを判断する。たとえば、図２に示したように、ＵＥ２０６はセル２０２のエッジにあり得る。ＬＴＥモデムがカバレージエリアのエッジにあるとき、ブロック９１２において、ＬＴＥモデムに第１の受信チェーンと第２の受信チェーンとを割り当てる。この構成では、ＬＴＥモデムは、ＬＴＥモデムがカバレージのエッジにあるとき、時々、両方の受信チェーンを与えられる。その結果、ＵＥがＬＴＥカバレージのエッジにあるときにＬＴＥ動作を改善するために、１ｘページが犠牲にされる。
【００６８】
[0071]この構成では、ＵＥがＬＴＥカバレージのエッジにあるかどうかの検出は、ＬＴＥページ受信が失敗した時間の割合に従って判断される。ＬＴＥページ受信失敗は消去（erasures）によって引き起こされ得る。ＬＴＥエッジカバレージはまた、基準信号受信電力（ＲＳＲＰ）および／または基準信号受信品質（ＲＳＲＱ）に基づいて検出され得る。たとえば、図６に示したように、ＲＸプロセッサ６６０および／またはコントローラ／プロセッサ６８０は、図９で説明するように、ＵＥ６５０がカバレージエリアのエッジにあるかどうかを検出し、受信チェーン割当てを実行し得る。
【００６９】
[0072]ブロック９１４において、ＵＥがＬＴＥカバレージ境界にないとき、ＬＴＥおよび／または１ｘページ受信メトリックが所定のしきい値を下回るかどうかを判断する。ＬＴＥおよび／または１ｘページ受信メトリックが所定のしきい値を下回ったとき、ブロック９１６において、ＬＴＥは一時的に無効にされ、ＵＥは、たとえば、１ｘ／ＤＯ（データのみ）ハイブリッドモードに遷移する。１ｘ／ＤＯハイブリッドモードは、ＥＶ−ＤＯネットワークとＣＤＭＡネットワークの両方の上での登録およびオーバーヘッド情報を同時に維持しながら、両方のタイプのネットワークへの接続を可能にし得る。
【００７０】
[0073]この構成では、１ｘ／ＤＯハイブリッドモードでの動作中、ＵＥは、ＥＶ−ＤＯ上でデータを受信するためにＥＶ−ＤＯ上でスロットサイクルをネゴシエートし得る。この構成では、ＬＴＥが中断される期間を判断するために、パラメータ（たとえば、Ｔ＿ＳＬＴＥ＿ａｖｏｉｄ）が指定される。たとえば、パラメータＴ＿ＳＬＴＥ＿ａｖｏｉｄは、デフォルトＬＴＥ回避時間２分を指定し得る。場合によっては、ブロック９１８において、ＬＴＥと１ｘとの間での第１の受信チェーンと第２の受信チェーンとの適応的共有が再開する。本開示の代替態様では、ＵＥ６５０が好適な起動スロットを指定することを可能にすることによって、たとえば、１ｘページング起動との衝突を回避するためにページング起動時点（paging wakeup instants）をネゴシエートすることによって、ＬＴＥ規格は向上する。
【００７１】
[0074]図１０に、本開示の一態様による、ＬＴＥ接続モードおよび１ｘアイドルモード中の単一の無線ＵＥ内のデュアルＲＡＴキャンピングのための方法１０００を示す。この構成では、ＬＴＥと１ｘとの間での第１の受信チェーンと第２の受信チェーンとの共有は、ＬＴＥが接続モードにある間、ＵＥが継続的に１ｘページを監視することを伴う。ＵＥは、１ｘページ受信のために第１の受信チェーンと第２の受信チェーンとのうちの一方をチューンアウェイすることによってＬＴＥが接続モードにある間１ｘページを監視し続け、それは、図１０の方法１０００に従って実行される。
【００７２】
[0075]ブロック１０１０において、単一の無線ＵＥ６５０は、１ｘページ受信のために１ｘにチューンアウェイする前に、不十分なチャネル品質インジケータ（ＣＱＩ）（たとえば、ＣＱＩ＝０）を報告する。この構成では、不十分なＣＱＩは、ｅノードＢ６１０が、不十分なＣＱＩに応答してＵＥ６５０をサービスしない確率を増加させるために、ｅノードＢ６１０に報告される。たとえば、図６に示したように、ｅノードＢ６１０は、たいがい、報告された不十分なＣＱＩによりＵＥ６５０のためのデータをスケジュールしないことになり、それによって、１ｘチューンアウェイ中の損失データの確率を低減する。ブロック１０１２において、１ｘチューンアウェイ中に１ｘページが受信されたかどうかを判断する。１ｘチューンアウェイ中に１ｘページが受信されたとき、ブロック１０１４において、ＬＴＥを中断し、ＵＥは１ｘページに応答する。この構成では、ＬＴＥスタックは中断され、それはサービングｅノードＢ６１０によって無線リンク障害（radio link failure）（ＲＬＦ）として識別される。別の構成では、ＬＴＥシャットダウン（LTE shutdown）を生じるために、ＬＴＥスタックを中断し１ｘページに応答する前に、ＥＳＲ（拡張サービス要求）がサービングｅノードＢ６１０に送信される。
【００７３】
[0076]１ｘページが１ｘチューンアウェイ中に受信されないとき、ブロック１０１６において、１ｘページ受信が完了すると、通常のＣＱＩを報告する。代替構成では、単一の無線ＵＥ６５０は、サービングｅノードＢ６１０により急速にランプアップ（ramp-up）させるためにＣＱＩを一時的にブースト（boost）し、それによって、ＬＴＥ接続モードへの復帰（return）を促進する。ブロック１０１８において、ＵＥは、ＬＴＥモデムに割り当てられた第１の受信チェーンと第２の受信チェーンとを用いてＬＴＥ接続モード動作を再開する。
【００７４】
[0077]本開示の別の態様では、ネットワークは、単一の無線ＵＥ６５０が１ｘページのためにチューンアウェイすることを可能にするＣＤＲＸ（接続モードＤＲＸ）を構成する。接続モードＤＲＸでは、ネットワークは、１ｘチューンアウェイ中に受信データをバッファする（buffer）。この構成では、１ｘページは、ＬＴＥデータよりも優先度が低く、ＬＴＥデータに影響を及ぼすことなしに「ベストエフォート（best effort）」に基づいて取り出される。
【００７５】
[0078]本開示のさらなる態様では、ＵＥは、１ｘチューンアウェイ中に単一のランクデバイスとして動作する（すなわち、ただ１つの受信経路を使用する）。この構成では、１つの受信経路を使用してデータが受信され得るとき、ＵＥは、ＬＴＥデータが、可能な場合、単一のランク（single rank）とともに受信されるように単一のランクデバイスとして動作する。場合によっては、ＬＴＥデータは、それが単一のランクとともに受信され得ないので失われる。
【００７６】
[0079]図１１は、本開示の一態様による、１ｘ接続モードおよびＬＴＥアイドルモード中に単一の無線ＵＥを用いた１ｘ／ＬＴＥデュアルドメインキャンピングのための方法１１００を示すブロック図である。この構成では、ブロック１１１０において、１ｘが接続モードにあり、ＬＴＥがアイドルモードにある間、ＬＴＥと１ｘとの間での第１の受信チェーンと第２の受信チェーンとの共有を実行する。１ｘが接続モードにあり、ＬＴＥがアイドルモードにあるとき、１ｘボイスは、ＬＴＥデータよりも重要であると仮定される。ブロック１１１２において、１ｘボイスコールがＬＴＥアイドルモード中に受信されたかどうかを判断する。１ｘボイスコールがＬＴＥアイドルモード中に受信されたとき、ブロック１１１４において、１ｘボイスコール中にＬＴＥを中断する。この構成によれば、１ｘボイス品質の低下を回避するために、ＬＴＥは１ｘボイスコール中に中断される。ＬＴＥが１ｘボイスコール中に中断されたとき、１ｘ受信機ダイバーシティを可能にするために、第１の受信チェーンと第２の受信チェーンとは１ｘモデムに割り当てられ得る。
【００７７】
[0080]ブロック１１１６において、１ｘボイス品質が単一の受信チェーンを使用して十分であるかどうかを判断する。１ｘボイス品質が、単一の受信チェーンを使用して十分であるとき、ブロック１１１８において、ＬＴＥモデムに他方の受信チェーンを割り当てる。この構成では、ＬＴＥは、１ｘ接続モードにある間第１の受信チェーンを使用して１ｘボイスコール中に中断される。しかしながら、第２の受信チェーンは、１ｘモバイルダイバーシティ受信機が無効にされたとき、ＬＴＥモデムに割り当てられ得る。場合によっては、ブロック１１２０において、１ｘに第１の受信チェーンと第２の受信チェーンの両方を割り当てる。
【００７８】
[0081]さらなる構成では、ＵＥは、下位レイヤ観点（perspective）からＬＴＥにキャンプオンされた（camped on）ままでいるために受信チェーンのうちの１つを使用する。下位ＬＴＥレイヤにキャンプオンされたままでいることは、１ｘボイスコールが完了すると、ＬＴＥのより速い再開を可能にする。この構成では、１ｘモバイル受信ダイバーシティが無効にされるとき、日和見的に（on an opportunistic basis）下位ＬＴＥレイヤにキャンプオンすることが実行される。ボイスコール中のＬＴＥの中断は、１ｘコール発信（origination）／１ｘページ応答より前にＬＴＥコンテキストを中断するためにＬＴＥ上で拡張サービス要求（ＥＳＲ）を送ることによって実行され得る。１ｘコール発信／１ｘページ応答より前のＬＴＥ上でのＥＳＲの送信は、ネットワーク統計値に影響を及ぼすべきでない。
【００７９】
[0082]図１２は、本開示の一態様による、１ｘ／ＬＴＥデュアルドメインキャンピングシステムを採用する装置１２００のためのハードウェア実装形態の一例を示す図である。１ｘ／ＬＴＥデュアルドメインキャンピングシステム１２１４は、バス１２２４によって概略的に表されるバスアーキテクチャを用いて実装され得る。バス１２２４は、１ｘ／ＬＴＥデュアルドメインキャンピングシステム１２１４の特定の適用例および全体的な設計制約に応じて、任意の数の相互接続バスとブリッジとを含み得る。バス１２２４は、プロセッサ１２２６によって表される１つまたは複数のプロセッサおよび／またはハードウェアモジュールと、動作モジュール１２０２と、適応的共有モジュール１２０４と、コンピュータ可読媒体１２２８とを含む様々な回路を互いにリンクする。バス１２２４はまた、タイミングソース、周辺機器、電圧調整器、および電力管理回路など、様々な他の回路をリンクし得るが、これらの回路は当技術分野においてよく知られており、したがって、これ以上説明しない。
【００８０】
[0083]本装置は、トランシーバ１２２２に結合された１ｘ／ＬＴＥデュアルドメインキャンピングシステム１２１４を含む。トランシーバ１２２２は、１つまたは複数のアンテナ１２２０に結合される。トランシーバ１２２２は、伝送媒体を介して様々な他の装置と通信するための手段を与える。１ｘ／ＬＴＥデュアルドメインキャンピングシステム１２１４は、コンピュータ可読媒体１２２８に結合されたプロセッサ１２２６を含む。プロセッサ１２２６は、コンピュータ可読媒体１２２８に記憶されたソフトウェアの実行を含む一般的な処理を担当する。ソフトウェアは、プロセッサ１２２６によって実行されたとき、１ｘ／ＬＴＥデュアルドメインキャンピングシステム１２１４に、特定の装置のための上記で説明した様々な機能を実行させる。コンピュータ可読媒体１２２８はまた、ソフトウェアを実行するときにプロセッサ１２２６によって操作されるデータを記憶するために使用され得る。
【００８１】
[0084]１ｘ／ＬＴＥデュアルドメインキャンピングシステム１２１４は、単一の無線ＵＥを動作させるための動作モジュール１２０２、および単一の無線ＵＥの第１の無線アクセス技術（ＲＡＴ）モデムと第２のＲＡＴモデムとの間で第１の受信チェーンと第２の受信チェーンとを適応的に共有するための適応的共有モジュール１２０４をさらに含む。動作モジュール１２０２および適応的共有モジュール１２０４は、プロセッサ１２２６中で動作するか、コンピュータ可読媒体１２２８中に常駐する／記憶されたソフトウェアモジュールであるか、プロセッサ１２２６に結合された１つまたは複数のハードウェアモジュールであるか、またはそれらの何らかの組合せであり得る。１ｘ／ＬＴＥデュアルドメインキャンピングシステム１２１４は、単一の無線ＵＥ６５０の構成要素であり得る。
【００８２】
[0085]一構成では、ワイヤレス通信のための装置１２００は、動作させるための手段と適応的に共有するための手段とを含む。本手段は、動作手段と適応的共有手段とによって具陳された（recited）機能を実行するように構成された装置１２００の動作モジュール１２０２、適応的共有モジュール１２０４および／または１ｘ／ＬＴＥデュアルドメインキャンピングシステム１２１４であり得る。本開示の一態様では、動作手段は、動作手段によって具陳された機能を実行するように構成されたコントローラ／プロセッサ６８０および／またはメモリ６８２であり得る。本開示のこの態様では、適応的共有手段は、適応的共有手段によって具陳された機能を実行するように構成されたコントローラ／プロセッサ６８０および／またはメモリ６８２、受信プロセッサ６６０、送信ＴＸプロセッサ６７０、ならびに／あるいは第１の受信機６５４−１  ＲＸ−１および／または第２の受信機６５４−２  ＲＸ−２のうちの１つであり得る。別の態様では、上述の手段は、上述の手段によって具陳された機能を実行するように構成された任意のモジュールまたは任意の装置であり得る。
【００８３】
[0086]上記の例は、ＬＴＥシステムおよび１ｘシステムにおいて実装される態様について説明するものである。ただし、本開示の範囲はそのように限定されない。様々な態様は、限定はしないが、ＣＤＭＡシステム、ＴＤＭＡシステム、ＦＤＭＡシステム、およびＯＦＤＭＡシステムを含む様々な通信プロトコルのいずれかを採用した通信システムなど、他の通信システムとともに使用するように適応され得る。
【００８４】
[0087]さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【００８５】
[0088]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８６】
[0089]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末内に個別構成要素として常駐することもできる。
【００８７】
[0090]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００８８】
[0091]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2018174538.tif 000003
【図２】
2018174538.tif 000004
【図３】
2018174538.tif 000005
【図４】
2018174538.tif 000006
【図５】
2018174538.tif 000007
【図６】
2018174538.tif 000008
【図７】
2018174538.tif 000009
【図８】
2018174538.tif 000010
【図９】
2018174538.tif 000011
【図１０】
2018174538.tif 000012
【図１１】
2018174538.tif 000013
【図１２】
2018174538.tif 000014
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
単一の無線ユーザ機器（ＵＥ）内のワイヤレス通信の方法であって、
前記単一の無線ＵＥの第１の無線アクセス技術（ＲＡＴ）モデムと第２のＲＡＴモデムとの間で第１の受信チェーンと第２の受信チェーンとを適応的に共有すること
を備える、方法。
【手続補正２】
【補正対象書類名】明細書
【補正対象項目名】００８８
【補正方法】変更
【補正の内容】
【００８８】
[0091]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
単一の無線ユーザ機器（ＵＥ）内のワイヤレス通信の方法であって、
前記単一の無線ＵＥの第１の無線アクセス技術（ＲＡＴ）モデムと第２のＲＡＴモデムとの間で第１の受信チェーンと第２の受信チェーンとを適応的に共有すること
を備える、方法。
［Ｃ２］
前記第１のＲＡＴモデムが前記第１の受信チェーンと前記第２の受信チェーンとを使用する間に、第２のＲＡＴセル探索を部分的にオフラインで実行すること
をさらに備える、Ｃ１に記載の方法。
［Ｃ３］
事前に起動することなしにページングインジケータを復号すること
をさらに備える、Ｃ１に記載の方法。
［Ｃ４］
適応的に共有することは、
前記第１の受信チェーンの信号品質が前記第２の受信チェーンの信号品質よりも高いとき、前記第２のＲＡＴモデムに前記第１の受信チェーンを割り当てること
を備える、Ｃ１に記載の方法。
［Ｃ５］
適応的に共有することは、
前記第１の受信チェーンの信号品質が前記第２の受信チェーンの信号品質よりも高く、前記第１の受信チェーンの信号品質と前記第２の受信チェーンの信号品質とが所定の値よりも大きいとき、前記第１のＲＡＴモデムに前記第１の受信チェーンを割り当てること
を備える、Ｃ１に記載の方法。
［Ｃ６］
適応的に共有することが履歴無線周波数状態に基づく、Ｃ１に記載の方法。
［Ｃ７］
前記履歴無線周波数状態が所定のレベルを下回るとき、最良の利用可能な受信チェーンが前記第２のＲＡＴモデムに割り当てられる、Ｃ６に記載の方法。
［Ｃ８］
第２のＲＡＴページを監視するために第２のＲＡＴチューンアウェイを実行することより前に第１のＲＡＴ間欠受信（ＤＲＸ）サイクルを増加させること
をさらに備える、Ｃ１に記載の方法。
［Ｃ９］
適応的に共有することは、
前記単一の無線ＵＥが第１のＲＡＴネットワークのエッジにまたはその近くにあるとき、前記第１のＲＡＴモデムに前記第１の受信チェーンと前記第２の受信チェーンとを周期的に割り当てること
を備える、Ｃ１に記載の方法。
［Ｃ１０］
適応的に共有することは、
第１のＲＡＴページ受信と第２のＲＡＴページ受信とが所定のレベル以下に低下したとき、前記第１のＲＡＴから、複数のＲＡＴ上で通信する第２のＲＡＴハイブリッドモードに遷移することであって、前記第２のＲＡＴハイブリッドモードがデータおよびボイス通信を可能にする、遷移すること
を備える、Ｃ１に記載の方法。
［Ｃ１１］
第２のＲＡＴページと第１のＲＡＴページとの間の衝突を回避するために好適な起動スロットを指定すること
をさらに備える、Ｃ１に記載の方法。
［Ｃ１２］
適応的に共有することは、
前記第１のＲＡＴモデムが第１のＲＡＴ接続モードにあるときに前記第１の受信チェーンを使用する間、第２のＲＡＴページを検出するために前記第２のＲＡＴモデムに前記第２の受信チェーンを割り当てること
を備える、Ｃ１に記載の方法。
［Ｃ１３］
前記第１のＲＡＴ接続モードにある間第２のＲＡＴページを監視するために第２のＲＡＴチューンアウェイを実行することより前に不十分なチャネル品質を報告すること
をさらに備える、Ｃ１に記載の方法。
［Ｃ１４］
前記第２のＲＡＴページが前記第２のＲＡＴチューンアウェイ中に検出されないとき前記第１のＲＡＴ接続モードへの復帰をランプアップするために、報告されたチャネル品質を所定の量だけ増加させること
をさらに備える、Ｃ１３に記載の方法。
［Ｃ１５］
適応的に共有することは、
第２のＲＡＴページが第２のＲＡＴチューンアウェイ中に受信されたとき前記第１のＲＡＴを中断することと、
前記第１の受信チェーンと前記第２の受信チェーンとを使用して前記第２のＲＡＴページに応答することと
を備える、Ｃ１に記載の方法。
［Ｃ１６］
前記第１のＲＡＴを中断することが、
無線リンク障害を呼び出すために第１のＲＡＴスタックを中断すること
をさらに備える、Ｃ１５に記載の方法。
［Ｃ１７］
前記第１のＲＡＴを中断することが、
第１のＲＡＴスタックを中断することより前に要求を発行すること
をさらに備える、Ｃ１５に記載の方法。
［Ｃ１８］
第１のＲＡＴ接続モードにあるときに、第２のＲＡＴチューンアウェイ中に前記第１のＲＡＴをバッファするために、接続モード間欠受信（ＤＲＸ）サイクルを構成することをさらに備える、Ｃ１に記載の方法。
［Ｃ１９］
適応的に共有することが、第１のＲＡＴ接続モードにある間、第２のＲＡＴチューンアウェイ中に単一のランクデバイスとして動作することを備える、Ｃ１に記載の方法。
［Ｃ２０］
適応的に共有することが、
前記第１の受信チェーンを第２のＲＡＴ接続モードで使用して第２のＲＡＴボイスコール中に前記第１のＲＡＴを中断することと、
前記第１のＲＡＴモデムに前記第２の受信チェーンを割り当てることと
を備える、Ｃ１に記載の方法。
［Ｃ２１］
前記第１のＲＡＴを中断することより前に第１のＲＡＴコンテキストを中断するための要求を発行することをさらに備える、Ｃ２０に記載の方法。
［Ｃ２２］
前記第１のＲＡＴがロングタームエボリューション（ＬＴＥ）を備え、前記第２のＲＡＴがＣＤＭＡ２０００を備える、Ｃ１に記載の方法。
［Ｃ２３］
単一の無線ユーザ機器（ＵＥ）内でのワイヤレス通信のための装置であって、
前記単一の無線ＵＥを動作させるための手段と、
前記単一の無線ＵＥの第１の無線アクセス技術（ＲＡＴ）モデムと第２のＲＡＴモデムとの間で第１の受信チェーンと第２の受信チェーンとを適応的に共有するための手段と
を備える、装置。
［Ｃ２４］
単一の無線ユーザ機器（ＵＥ）内でのワイヤレス通信のために構成されたコンピュータプログラム製品であって、前記コンピュータプログラム製品が、
非一時的プログラムコードを記録したコンピュータ可読媒体を備え、前記プログラムコードが、
前記単一の無線ＵＥの第１の無線アクセス技術（ＲＡＴ）モデムと第２のＲＡＴモデムとの間で第１の受信チェーンと第２の受信チェーンとを適応的に共有するためのプログラムコード
を備える、コンピュータプログラム製品。
［Ｃ２５］
メモリと、
前記メモリに結合された少なくとも１つのプロセッサと
を備える、単一の無線ユーザ機器（ＵＥ）内でのワイヤレス通信のために構成された装置であって、前記少なくとも１つのプロセッサが、
前記単一の無線ＵＥの第１の無線アクセス技術（ＲＡＴ）モデムと第２のＲＡＴモデムとの間で第１の受信チェーンと第２の受信チェーンとを適応的に共有する
ように構成された、装置。
［Ｃ２６］
前記プロセッサは、
前記第１のＲＡＴモデムが前記第１の受信チェーンと前記第２の受信チェーンとを使用する間に、第２のＲＡＴセル探索を部分的にオフラインで実行する
ようにさらに構成された、Ｃ２５に記載の装置。
［Ｃ２７］
前記プロセッサが、
事前に起動することなしにページングインジケータを復号する
ようにさらに構成された、Ｃ２５に記載の装置。
［Ｃ２８］
前記プロセッサは、
前記第１の受信チェーンの信号品質が前記第２の受信チェーンの信号品質よりも高いとき、前記第２のＲＡＴモデムに前記第１の受信チェーンを割り当てること
によって適応的に共有するようにさらに構成された、Ｃ２５に記載の装置。
［Ｃ２９］
前記プロセッサは、
前記第１の受信チェーンの信号品質が前記第２の受信チェーンの信号品質よりも高く、前記第１の受信チェーンの信号品質と前記第２の受信チェーンの信号品質とが所定の値よりも大きいとき、前記第１のＲＡＴモデムに前記第１の受信チェーンを割り当てること
によって適応的に共有するようにさらに構成された、Ｃ２５に記載の装置。
［Ｃ３０］
前記プロセッサが、履歴無線周波数状態に基づいて適応的に共有するようにさらに構成された、Ｃ２５に記載の装置。
［Ｃ３１］
前記履歴無線周波数状態が所定のレベルを下回るとき、最良の利用可能な受信チェーンが前記第２のＲＡＴモデムに割り当てられる、Ｃ３０に記載の装置。
［Ｃ３２］
前記プロセッサが、
第２のＲＡＴページを監視するために第２のＲＡＴチューンアウェイを実行することより前に第１のＲＡＴ間欠受信（ＤＲＸ）サイクルを増加させる
ようにさらに構成された、Ｃ２５に記載の装置。
［Ｃ３３］
前記プロセッサは、
前記単一の無線ＵＥが第１のＲＡＴネットワークのエッジにまたはその近くにあるとき、前記第１のＲＡＴモデムに前記第１の受信チェーンと前記第２の受信チェーンとを周期的に割り当てること
によって適応的に共有するようにさらに構成された、Ｃ２５に記載の装置。
［Ｃ３４］
前記プロセッサは、
第１のＲＡＴページ受信と第２のＲＡＴページ受信とが所定のレベル以下に低下したとき、前記第１のＲＡＴから、複数のＲＡＴ上で通信する第２のＲＡＴハイブリッドモードに遷移することであって、前記第２のＲＡＴハイブリッドモードがデータおよびボイス通信を可能にする、遷移すること
によって適応的に共有するようにさらに構成された、Ｃ２５に記載の装置。
［Ｃ３５］
前記プロセッサが、
第２のＲＡＴページと第１のＲＡＴページとの間の衝突を回避するために好適な起動スロットを指定する
ようにさらに構成された、Ｃ２５に記載の装置。
［Ｃ３６］
前記プロセッサは、
前記第１のＲＡＴモデムが第１のＲＡＴ接続モードにあるときに前記第１の受信チェーンを使用する間、第２のＲＡＴページを検出するために前記第２のＲＡＴモデムに前記第２の受信チェーンを割り当てること
によって適応的に共有するようにさらに構成された、Ｃ２５に記載の装置。
［Ｃ３７］
前記プロセッサが、
前記第１のＲＡＴ接続モードにある間第２のＲＡＴページを監視するために第２のＲＡＴチューンアウェイを実行することより前に不十分なチャネル品質を報告する
ようにさらに構成された、Ｃ３６に記載の装置。
［Ｃ３８］
前記プロセッサは、
前記第２のＲＡＴページが前記第２のＲＡＴチューンアウェイ中に検出されないとき前記第１のＲＡＴ接続モードへの復帰をランプアップするために、報告されたチャネル品質を所定の量だけ増加させる
ようにさらに構成された、Ｃ３７に記載の装置。
［Ｃ３９］
前記プロセッサは、
第２のＲＡＴページが第２のＲＡＴチューンアウェイ中に受信されたとき前記第１のＲＡＴを中断することと、
前記第１の受信チェーンと前記第２の受信チェーンとを使用して前記第２のＲＡＴページに応答することと
によって適応的に共有するようにさらに構成された、Ｃ２５に記載の装置。
［Ｃ４０］
前記プロセッサが、
無線リンク障害を呼び出すために第１のＲＡＴスタックを中断すること
によって前記第１のＲＡＴをさらに中断するようにさらに構成された、Ｃ３９に記載の装置。
［Ｃ４１］
前記プロセッサが、
第１のＲＡＴスタックを中断することより前に要求を発行すること
によって前記第１のＲＡＴを中断するようにさらに構成された、Ｃ３９に記載の装置。
［Ｃ４２］
前記プロセッサが、第１のＲＡＴ接続モードにあるときに、第２のＲＡＴチューンアウェイ中に前記第１のＲＡＴをバッファするために、接続モード間欠受信（ＤＲＸ）サイクルを構成するようにさらに構成された、Ｃ２５に記載の装置。
［Ｃ４３］
前記プロセッサが、第１のＲＡＴ接続モードにある間、第２のＲＡＴチューンアウェイ中に単一のランクデバイスとして動作することによって適応的に共有するようにさらに構成された、Ｃ２５に記載の装置。
［Ｃ４４］
前記プロセッサが、
前記第１の受信チェーンを第２のＲＡＴ接続モードで使用して第２のＲＡＴボイスコール中に前記第１のＲＡＴを中断することと、
前記第１のＲＡＴモデムに前記第２の受信チェーンを割り当てることと
によって適応的に共有するようにさらに構成された、Ｃ２５に記載の装置。
［Ｃ４５］
前記プロセッサが、前記第１のＲＡＴを中断することより前に第１のＲＡＴコンテキストを中断するための要求を発行するようにさらに構成された、Ｃ４４に記載の装置。
［Ｃ４６］
前記第１のＲＡＴがロングタームエボリューション（ＬＴＥ）を備え、前記第２のＲＡＴがＣＤＭＡ２０００を備える、Ｃ２５に記載の装置。
【外国語明細書】
2018174538000001.pdf